(57)【要約】【課題】二種以上のプラスチックフィルムを多層に積層した虹彩性多層フィルムの視角によるカラーシフト効果を強調させ、真偽判定が目視にて容易に可能で、偽造、変造、あるいは改ざんなどの不正行為が困難な偽造防止媒体及び偽造防止シールを安価に提供することにある。【解決手段】二種またはそれ以上の種類の薄膜が交互に積層された虹彩性多層フィルム３の裏面の一部に光吸収層４を少なくとも一つのパターンとして設け、更にその上に該光吸収層４のパターンを含む虹彩性多層フィルムの略全面に金属蒸着層５を設けてなる偽造防止媒体１とその金属蒸着層５面に粘着層を設けた偽造防止シール２とするものである。【選択図】図４
2004340994.tif 000002
【特許請求の範囲】
【請求項１】
二種またはそれ以上の種類の薄膜が交互に積層された虹彩性多層フィルムの裏面の一部に光吸収層を少なくとも一つのパターンとして設け、更にその上に該光吸収層のパターンを含む虹彩性多層フィルムの略全面に金属蒸着層を設けてなることを特徴とする偽造防止媒体。
【請求項２】
上記請求項１に記載の偽造防止媒体の金属蒸着層面に、粘着層を設けてなることを特徴とする偽造防止シール。
【発明の詳細な説明】
【０００１】
【発明の属する技術分野】
本発明は、目視角度（視角）の変化に応じて反射色の変化を生じる虹彩性多層フィルムでなる偽造防止媒体及びこの偽造防止媒体を用いた偽造防止シールに関するものであり、特に目視による真偽の判定が容易で、且つ偽造、改ざん、または変造を困難とする偽造防止媒体及び偽造防止シールに関するものである。
【０００２】
【従来の技術】
従来、偽造を防止する手段は、物品そのものを真似することが困難なものとするか、或いは真似することが困難なものを本物であることの証明として物品に取りつけることにより、本物と偽物を区別できるようにするものがある。前者には印刷に使用するインキを光学可変性インキ（ＯＶＩ；オプチカルバリアブルインキ）のように特殊インキとしたり、後者の代表的なものとしては、近年多用されているレリーフ型ホログラム、回折格子、リップマン型ホログラムなどのホログラムがある。
この中で、例えば光学可変性インキは使用される光学可変性材料によって積層された金属薄膜が視角によって色変化を起こし、固有のカラーシフト（反射光の色変化）を生じ、その状態の有無を確認することにより、真正物であるか否かを容易に判定することができるものがある（例えば、特許文献１参照。）。
【０００３】
【特許文献１】
特開平１０−２２２０７４号公報（第３頁、第１図）
【０００４】
しかし、上記光学可変性インキによる偽造防止媒体は、スクリーン印刷法など公知の印刷方法によって製造できることからホログラムよりは安価であるが、スクリーン印刷法やオフセット印刷法、グラビア印刷法などの各印刷において一般的に使用されている印刷用インキと比較すると光学可変性インキそのものはコスト高であり、実際には偽造防止媒体の一部のパターン絵柄や文字などにしか使用されていない。
また、ホログラムと同様の見る角度によるカラーシフト（反射光の色変化）の効果を有するものとして、基材にセラミックスや金属などの薄膜で、光学特性の異なるものを積層した多層薄膜層がある（例えば、特許文献２参照。）。
【０００５】
【特許文献２】
特開平７−１４６６５０号公報
【０００６】
これらは薄膜の光学特性と膜厚により得られる光の干渉作用を利用したものであり、特定の波長域にて反射・透過する特性を有し、視角によりこの反射と透過の特性が変化して見える色が異なるため、その状態の有無を確認することにより、真正物であるか否かを容易に判定することができる。
【０００７】
これらカラーシフト（反射光の色変化）の視角による色の変化は偽造物に対して真偽判定を可能とし、カラーコピー機による不正な複写でもその光学特性を再現することが不可能であるため、偽造、または変造を困難とし、偽造、または変造されたとしても、その使用を諦めさせる効果を有する。
【０００８】
その形態は、その一例として媒体、シール、または転写箔、転写シートとして、基材にセラミックスや金属などの薄膜で、光学特性の異なるものを積層した多層薄膜層を形成し、これらを粘着、または転写により、所望の物品に貼付加工を行うものがある。また、より高い偽造防止効果を持つ媒体として、金属蒸着層の上に樹脂層を積層し、樹脂層をエンボスすることによってホログラムとしたものや、シールを剥離困難とするか、あるいは脆性シールのような剥離後再生困難となるように構成されており、一度貼り付けた後、これを剥離するとホログラムの一部もしくは全体が破壊されることで、偽造だけでなく改竄など物品に何らかの手が加えられたことが一目で判別できるようにしたものがある。
【０００９】
しかしながら、基材にセラミックスや金属などの薄膜で、光学特性の異なるものを積層した多層薄膜層の安定製造は難しく、特に広い面積を所定の膜厚にて何層にも形成するためには、コスト高になる問題がある。
また、ホログラムにおいては、偽造防止効果を高めようとするほど製造工程が複雑になり、コスト高になる問題がある。
更に、多層膜の材料としてセラミックスや金属などの薄膜ではなく、二種以上のプラスチックフィルムを多層に積層し一定の条件下で延伸することで同様のカラーシフト効果を持つ虹彩性多層フィルムは、フィルム単体では裏面からの透過光によってそのカラーシフト効果が分かりにくいという問題がある。
【００１０】
【課題を解決するための課題】
本発明は、かかる従来技術の問題点を解決するものであり、その課題とするところは、多層膜の材料としてセラミックスや金属などの薄膜ではなく、二種以上のプラスチックフィルムを多層に積層し一定の条件下で延伸することで同様のカラーシフト効果を持つ虹彩性多層フィルムの視角によるカラーシフト効果を強調させ、一面上にて様々な色が見え、真偽判定が目視にて容易に可能であり、偽造や変造、あるいは改ざんなどの不正行為が困難な偽造防止媒体及び偽造防止シールを安価に提供することにある。
【００１１】
【課題を解決するための手段】
本発明に於いて上記課題を達成するために、まず請求項１の発明では、二種またはそれ以上の種類の薄膜が交互に積層された虹彩性多層フィルムの裏面の一部に光吸収層を少なくとも一つのパターンとして設け、更にその上に該光吸収層のパターンを含む虹彩性多層フィルムの略全面に金属蒸着層を設けてなることを特徴とする偽造防止媒体としたものである。
【００１２】
また、請求項２の発明では、上記請求項１記載の偽造防止媒体の金属蒸着層面に、粘着層を設けてなることを特徴とする偽造防止シールとしたものである。
【００１３】
【発明の実施の形態】
以下本発明の実施の形態を図面を用いて詳細に説明する。
【００１４】
図１は本発明の偽造防止媒体の一事例を示す上面図であり、図２は図１の偽造防止媒体のＸ−Ｘ線における断面図であり、図３は図１の偽造防止媒体に粘着層を設けた偽造防止シールの一事例を示す上面図で、図４は図３の偽造防止シールのＹ−Ｙ線における断面図である。
【００１５】
上記請求項１に係る発明の偽造防止媒体は、例えば図２に示すように、虹彩性多層フィルム３を基材として、虹彩性多層フィルム３の裏面の一部に光吸収層４が積層され、更にその上に金属蒸着層５が光吸収層４を覆うように虹彩性多層フィルム３の裏面全面に積層されているものである。
【００１６】
上記請求項２に係る発明の偽造防止シールは、例えば図４に示すように、虹彩性多層フィルム３を基材として、虹彩性多層フィルムの裏面の一部に光吸収層４が積層され、更にその上に金属蒸着層５が光吸収層４を覆うように虹彩性多層フィルム３の裏面全面に積層されている偽造防止媒体の金属蒸着層５の面に粘着層６が積層されているものである。
【００１７】
上記虹彩性多層フィルム３は、屈折率の異なる２種類以上のポリマーを交互に積層したものである。積層材料として用いられるポリマーとしては、高屈折率ポリマーとしてＰＥＮ（１．６３＝屈折率ｎ：以下同じ）、ＰＣ（１．５９）、ＰＳｔ（１．５９）、ＰＥＴ（１．５８）などがあり、また低屈折率ポリマーとしてＮｙ（１．５３）、ＰＭＭＡ（１．４９）、ポリメチルペンテン（１．４６）、フッ素系ＰＭＭＡ（１．４）などがある。これらのポリマーの中から高屈折率材料より少なくとも一種、低屈折率材料より少なくとも一種選択し、所定の厚さで交互に積層させることにより、可視光における特定の波長に対する吸収あるいは反射を示すものである。
【００１８】
また、上記光吸収層４は、図２に示すように虹彩性多層フィルム３の光学特性をより強調させるために設けるもので、虹彩性多層フィルム３は多層に積層されたポリマーの膜厚によりその層間部７にて特定の波長を反射（図２における反射光９，１２）させてそれ以外の波長を吸収（図２における吸収波長１０、１３）させる性質を持っているが、他の色々な角度の入射光も前記吸収波長１０、１３と同様に光吸収層４で吸収されることにより、より鮮明に反射波長９、１２が見えることになる。
【００１９】
また、上記反射光９と反射光１２とでは入射光の角度が入射光８と入射光１１のように異なっているため、それぞれ反射される波長も異なり、その結果、反射光９と反射光１２のように視角Ａと視角Ｂとでは目視できる色も異なり、カラーシフト効果を得ることができる。
【００２０】
また、上記光吸収層４は、虹彩性多層フィルム３によって吸収される吸収波長１０、１３を吸収出来る色で有れば特に限定はなく、一般的には濃色の色を用い、更に黒色が一般的に使用される。
【００２１】
また、上記金属蒸着層５は、図２に示すように、光吸収層４が無い部分２０のカラーシフト効果を弱めるために設けるものである。これは、金属蒸着層５が直接、虹彩性多層フィルム３に積層されていることから、この部分を表面から目視すると虹彩性多層フィルム３の層間部７で反射された特定波長（反射光１５、１７）に、他の角度の入射光１６から虹彩性多層フィルム３に吸収されて金属蒸着層５で反射される波長（反射光１８）も加わることから、反射光１５は全波長が反射光となる。
このため、光吸収層４が無い部分（２０）を表面から目視するとカラーシフト効果が見られなくなり、虹彩性フィルム３において光吸収層４がある部分１９のみカラーシフト効果が得られると同時に、その効果を光吸収層４を任意の形状にすることにより、カラーシフトさせたい文字や特定のパターンといった絵柄などを虹彩性フィルム３上に示すことが可能となる。
【００２２】
また、図４に示す上記粘着層６は、直に接する金属蒸着層５、光吸収層４や虹彩性多層フィルム３を変質させたり、冒すものでなければ、一般的な接着材料を用いることが出来る。例えば塩化ビニル−酢酸ビニル共重合体、ポリエステル系ポリアミド、アクリル系、ブチルゴム系、天然ゴム系、シリコン系、ポリイソブチル系の粘着剤を単独、もしくはアルキルメタクリレート、ビニルエステル、アクリルニトリル、スチレン、ビニルモノマー等の凝集成分、不飽和カルボン酸、ヒドロキシ基含有モノマー、アクリルニトリル等に代表される改質成分や重合開始剤、可塑剤、硬化剤、硬化促進剤、酸化防止剤等の添加剤を必要に応じて添加したものを用いることが出来る。この粘着層６の形成には公知のグラビア印刷法、オフセット印刷法、スクリーン印刷法などの印刷方法やバーコート法、グラビアコート法、ロールコート法などの塗布方法を用いることができる。
【００２３】
【実施例】
次に実施例により、本発明を具体的に説明する。
〈実施例１〉
ＰＥＴとフッ素系ＰＭＭＡの二種でなる厚さ１９μｍの虹彩性多層フィルムの裏面の一部に下記［光吸収層の組成］からなるインキを用いてスクリーン印刷法で厚さ３μｍに印刷して光吸収層を形成し、続いてその上全面にアルミニウム粉末を真空蒸着法によって厚さ２００Åにて蒸着して金属蒸着層を形成した。
更にこの金属蒸着層上に下記［粘着層の組成］からなる粘着剤をグラビア印刷法で厚さ１０μｍ（ｗｅｔ）に印刷して粘着層を形成し、この粘着層面に離型紙を合わせ、所定の形状に打ち抜いて偽造防止シールを得た。
【００２４】
［光吸収層の組成］
スクリーン用墨インキ：
ＳＳ６６  ９１１墨（東洋インキ製造社製）              ９０部
希釈溶剤：
Ｓ９６５溶剤（東洋インキ製造社製）                    １０部
［粘着剤の組成］
アクリル系樹脂：
ＢＰＳ５１６０（東洋インキ製造社製）                  ６０部
希釈溶剤：
ＶＣ２０２Ｃ溶剤（東洋インキ製造社製）                ４０部
【００２５】
上記で得られた偽造防止シールを商品券の被帖着物に添付し、それをカラーコピー機で複写し複製品としたところ、この偽造防止シールの被帖着物では、正面から見ると光吸収層が印刷された部分は視角によって赤色から緑色に色が変化して見えるが、アルミ蒸着が虹彩性多層フィルムを通して見える部分では特定の色は見られなかった。
これに対し上記複製品では、虹彩性多層フィルムの光吸収層部分の色変化が無く、更に虹彩性多層フィルムを通してアルミ蒸着が見える部分もアルミの金属光沢が再現されないことにより、偽造行為を容易に発見することが出来た。
【００２６】
【発明の効果】
本発明は以上の構成であるから、下記に示す如き効果がある。
即ち、上記請求項１および請求項２に係る発明の偽造防止媒体および偽造防止シールにおいて、目視角度によって色が変化する虹彩性多層フィルムの少なくとも一部に光吸収層を設けることで、光吸収層のある部分では目視角度によって色が変化しつつ、光吸収層が無い部分ではどの角度から見ても特定の色を見ることができない。このため、カラーコピー機等による偽造・改ざん・変造などの不正行為を防止することが出来ると同時に、カラーコピー機等による偽造を防止する効果を一層高めることができる。また、光吸収層は公知の印刷法及び通常使用される有色インキによって形成できるため、文字や絵柄などの任意の形状にすることができ、カラーシフトする面積に関わらずほぼ一定のコストにて製造することが可能となる効果がある。
【００２７】
従って本発明は、目視角度（視角）の変化に応じて反射色の変化を生じる虹彩性多層フィルムからなる偽造防止媒体及びこの偽造防止媒体を用いた偽造防止シールとして、優れた実用上の効果を発揮する。
【図面の簡単な説明】
【図１】本発明の偽造防止媒体の一実施の形態を示す上面図である。
【図２】本発明の偽造防止媒体の一実施の形態を示すもので、図１のＸ−Ｘ面の断面図である。
【図３】本発明の偽造防止シールの一実施の形態を示す上面図である。
【図４】本発明の偽造防止シールの一実施の形態を示すもので、図３のＹ−Ｙ面の断面図である。
【符号の説明】
１‥‥偽造防止媒体
２‥‥偽造防止シール
３‥‥虹彩性多層フィルム
４‥‥光吸収層
５‥‥金属蒸着層
６‥‥粘着層
７‥‥虹彩性多層フィルム３の層間部
８、１１、１４、１６‥‥入射光（全波長）
９‥‥視角Ａにて目視される反射光
１０、１３‥‥虹彩性多層フィルムに吸収され、光吸収層に吸収される光
１２‥‥視角Ｂにて目視される反射光
１５‥‥入射光１４のうち層間部で反射される特定波長と反射光１８が合成された反射光（全波長）
１７‥‥入射光１６のうち、層間部７で反射された波長光
１８‥‥入射光１６のうち、虹彩性多層フィルム３に吸収され、金属蒸着層５にて反射された光
１９‥‥光吸収層のある部分
２０‥‥光吸収層がない部分
【図１】
2004340994.tif 000003
【図２】
2004340994.tif 000004
【図３】
2004340994.tif 000005
【図４】
2004340994.tif 000006